(57)【要約】      （修正有）【課題】内部点検の作業を簡略化し、容器を容易に密閉できると共に簡単に開閉できる運搬容器を提供する。【解決手段】上面に開閉蓋を有する箱体からなり、魚介類と水とを収容する容器本体と、防水シートにより容器本体を収容可能でかつ容器本体の外形とほぼ同サイズに形成され、側面周囲に切り込み１４及び当該切り込み１４を開閉する防水ファスナー１６が設けられた外ケース１８と、外ケースの外面に設けられた内容物表示部とを備えた。防水ファスナー１６により外ケース１８を密封できるので、運搬時や積み降ろし等に容器本体が大きく傾いても水漏れを防止できる。【選択図】図１
0003132755.tif 000002
【実用新案登録請求の範囲】
【請求項１】
魚介類や氷詰め食品等の水分を含む商品を収容する蓋付き容器本体と、
防水シートにより前記容器本体を収容可能に形成され、側面または上面に、前記容器本体の出し入れを可能にする大きさに開口できる切り込み及び当該切り込みを開閉する防水ファスナーが設けられた外ケースと、
前記外ケースの外面に設けられた内容物表示部とを備えたことを特徴とする運搬容器。
【請求項２】
請求項１に記載の運搬容器において、
前記容器本体は、蓋付きの発泡スチロール箱あるいは防水ダンボール箱であることを特徴とする運搬容器。
【請求項３】
請求項１または２に記載の運搬容器において、
前記外ケースは、防水シートにより前記容器本体の外形とほぼ同サイズに構成され、前記容器本体の側面周囲に沿って形成された切り込み及び当該切り込みを開閉する防水ファスナーを有し、全体に柔軟な袋体であることを特徴とする運搬容器。
【請求項４】
請求項１乃至３のいずれかに記載の運搬容器において、
前記外ケースは、防水シートにより、底面が長方形をなし、上面の両端縁部にそれぞれ延長折り曲げ部を形成すると共に、前記両延長折り曲げ部間に跨って切り込み及び当該切り込みを開閉する防水ファスナーが設けられ、側面に折り曲げられた状態の前記延長折り曲げ部を押える手提げ紐を設けた、全体に柔軟な袋体であることを特徴とする運搬容器。
【請求項５】
請求項１乃至４のいずれかに記載の運搬容器において、
前記防水ファスナーに、前記ファスナーの開閉動作を抑制する鍵を設けたことを特徴とする運搬容器。
【請求項６】
請求項１乃至５のいずれかに記載の運搬容器において、
前記内容物表示部は、商品名や重量、個数等を表示する硬質ラベルを貼り付けた部分、あるいは商品情報を記録したＩＣタグを着脱自在に装着した部分であることを特徴とする運搬容器。
【考案の詳細な説明】
【技術分野】
【０００１】
本考案は、魚介類や氷詰め食品等の水分を含む商品を能率よく配送できる運搬容器に関する。
【背景技術】
【０００２】
魚介類や氷詰め食品等の水分を含む商品は、一般には発泡スチロールの容器に収容される。例えば、産地から消費者に直送されるものは、粘着テープ等で厳重にシールして発送される。
従来のこの種の運搬容器としては、外容器内に、同外容器の内形状より僅か小さい外形状の内容器を防水袋内に封入した状態で嵌入し、更に同内容器内に複数封入される透水性の中袋を設け、同中袋内に活魚等の商品を封入し、内容器内に海水または水と前記商品が封入された中袋を入れて防水袋の袋上端を袋止できるようにした運搬容器がある（特許文献１参照）。
【特許文献１】実開平７−２８３５０号公報
【考案の開示】
【考案が解決しようとする課題】
【０００３】
既知の従来の技術には、次のような解決すべき課題があった。
魚市場で仲買人が仕入れをし、小売店に輸送するような場合には、輸送中に内容物の点検や確認作業がなされる。従ってその都度粘着テープ等のシールを剥がし、内容物を確認し、その後再度粘着テープを貼り付ける作業が必要になる。このため、運搬途中で内部点検することが面倒であり、煩雑である。
本考案は、内部点検の作業を簡略化し、容器を容易に密閉できると共に簡単に開閉できる運搬容器を提供するものである。
【課題を解決するための手段】
【０００４】
以下の構成はそれぞれ上記の課題を解決するための手段である。
本考案によれば、生産者側から消費者に流通する段階で水漏れを起こすことなく簡単に内容物チェックができる。
〈構成１〉
魚介類や氷詰め食品等の水分を含む商品を収容する蓋付き容器本体と、防水シートにより上記容器本体を収容可能に形成され、側面または上面に、上記容器本体の出し入れを可能にする大きさに開口できる切り込み及び当該切り込みを開閉する防水ファスナーが設けられた外ケースと、上記外ケースの外面に設けられた内容物表示部とを備えたことを特徴とする運搬容器。
【０００５】
外ケースにより、容器本体の蓋を押えて内容物の水漏れを防止する。防水ファスナーを開いて切り込みを開口することにより、容易に容器本体の蓋を取って内容物を点検したり、再び梱包して発送することができる。内容物表示部は、容器本体のように水分を含む商品によって汚れ易く破損もし易いが、外ケースの外側にあるため、ということがない。
【０００６】
〈構成２〉
構成１に記載の運搬容器において、上記容器本体は、蓋付きの発泡スチロール箱あるいは防水ダンボール箱であることを特徴とする運搬容器。
【０００７】
軽量で持ち運びが容易である。
【０００８】
〈構成３〉
構成１または２に記載の運搬容器において、上記外ケースは、防水シートにより上記容器本体の外形とほぼ同サイズに構成され、上記容器本体の側面周囲に沿って形成された切り込み及び当該切り込みを開閉する防水ファスナーを有し、全体に柔軟な袋体であることを特徴とする運搬容器。
【０００９】
外ケースが柔軟な袋体であることにより、不使用時にはコンパクトに畳んでおける。
【００１０】
〈構成４〉
構成１乃至３のいずれかに記載の運搬容器において、上記外ケースは、防水シートにより、底面が長方形をなし、上面の両端縁部にそれぞれ延長折り曲げ部を形成すると共に、上記両延長折り曲げ部間に跨って切り込み及び当該切り込みを開閉する防水ファスナーが設けられ、側面に折り曲げられた状態の上記延長折り曲げ部を押える手提げ紐を設けた、全体に柔軟な袋体であることを特徴とする運搬容器。
【００１１】
手提げ紐により延長折り曲げ部を堅固に押えた状態で運搬できる。
【００１２】
〈構成５〉
構成１乃至４のいずれかに記載の運搬容器において、上記防水ファスナーに、上記ファスナーの開閉動作を抑制する鍵を設けたことを特徴とする運搬容器。
【００１３】
ファスナーに鍵を付けておけば、関係者のみが内容物を点検できる。従って容器本体内の魚介類等の安全を保持できる。
【００１４】
〈構成６〉
構成１乃至５のいずれかに記載の運搬容器において、上記内容物表示部は、商品名や重量、個数等を表示する硬質ラベルを貼り付けた部分、あるいは商品情報を記録したＩＣタグを着脱自在に装着した部分であることを特徴とする運搬容器。
【００１５】
硬質ラベルあるいはＩＣタグを内容物表示部に装着しておくと、データを書き換えて繰り返し安全に使用できる。また、ＩＣタグを使用することにより運送時の内容確認を正確かつ効率的にできる。内容物表示部の部分だけ硬い板状になっていると、安定した表示ができてよい。
【考案を実施するための最良の形態】
【００１６】
以下、本考案の実施の形態を実施例毎に詳細に説明する。
【実施例１】
【００１７】
図１は実施例１の運搬容器１０を示す斜視図、図２は同運搬容器を解体して示す斜視図である。
これらの図に示すように、運搬容器１０は、蓋付き容器本体１２と、防水シートにより、容器本体１２を収容できるように形成された外ケース１８と、外ケース１８の外側の見やすい個所に設けられた内容物表示部２０とを備えている。
【００１８】
容器本体１２は、魚介類や氷詰め食品等の水分を含む商品を収容する箱体で、上面に開閉蓋１３を有する。これらは、耐水性の発泡プラスチックまたは表面に防水コーティングを施したダンボールから製作されている。
【００１９】
外ケース１８は、防水シートにより、容器本体１２の外形とほぼ同サイズに構成され、容器本体１２の側面周囲に沿って形成された切り込み１４及び当該切り込みを開閉する防水ファスナー１６を有している。全体に柔軟な袋体である。切り込み１４は容器本体１２の出し入れを可能にする大きさに開口できる。すなわち、この実施例の場合は、切り込み１４が容器本体１２の側面周囲の３側面に亘って設けられ、容器本体１２の上部を、図２に示すように残りの側面側に折り返すことにより開口できる。
【００２０】
図示を省略したが、防水ファスナー１６に、切り込み１４の開閉動作を抑制する、適当な鍵を設けてもよい。ファスナー１６に鍵を付けておけば、関係者のみが内容物を点検できる。従って容器本体内の魚介類等の安全を保持できる。防水ファスナー１６を開いて容器本体１２の開閉蓋１３を開けることにより、簡単に容器本体１２内の魚介類の点検を行うことができる。なお、外ケース１８の側面に運搬用の取っ手２２を設けてもよい。
【００２１】
内容物表示部２０は、商品名や重量、個数等を表示する硬質ラベルを貼り付けた部分、あるいは、生産地から配送先に至る情報や商品情報を記録したＩＣタグを着脱自在に装着した部分である。ＩＣタグの場合、通常の電子情報を与えるのに用いられているＩＣカードや磁気カードを用いるが、所望ならばＩＣチップを内臓し、電波で通信できるＲＦタグを用いることもできる。このＲＦタグはＩＣチップとアンテナで構成され、リーダライターからの電波により、任意の時点でＲＦタグ内の情報の読み出し、書き込みを行うことにより、自動識別、所在確認、追跡、履歴情報の記録、呼び出しなど状況に応じた使い方ができる。
【実施例２】
【００２２】
図３は実施例２の運搬容器３０を示す斜視図である。図１に示した部分と共通する部分には同一符号を付して重複説明を省略する。
この実施例の運搬容器３０は、外ケース１８の外側に２本のバンド３２を付設したものである。容器本体１２及びそれを収容した外ケース１８、外ケース１８の外側に設けられた内容物表示部２０は実施例１と共通している。バンド３２は、両端部に周知構造のワンタッチ式コネクタ３４が設けられ、中間部に取っ手３６が設けられている。取っ手３６は外ケース１８の上面に位置するようにされる。
【００２３】
バンド３２で容器本体１２及びそれを収容した外ケース１８をバインドすることにより、容器本体１２と外ケース１８とをより強固に押えることができる。
【実施例３】
【００２４】
図４は実施例３の運搬容器４０を示す斜視図である。図１に示した部分と共通する部分には同一符号を付して重複説明を省略する。
この実施例の運搬容器４０は、外ケース４２の構造に特徴を有するものである。外ケース４２に収容される容器本体及び外ケース４２の外側に設けられた内容物表示部２０は実施例１と共通している。
【００２５】
外ケース４２は、図４（ａ）、（ｂ）に示すように、防水シートにより、底面が長方形をなし、上面の両端縁部にそれぞれ延長折り曲げ部４３を形成すると共に、両延長折り曲げ部４３間に跨って切り込み４４及び当該切り込みを開閉する防水ファスナー４６が設けられ、側面に折り曲げられた状態の延長折り曲げ部４３を押える手提げ紐４８を設けた、全体に柔軟な袋体である。手提げ紐４８は運搬時に取っ手として使用される。
【００２６】
外ケース４２は、図２に示した容器本体１２と同様の容器本体（図示せず）を収容できる大きさである。切り込み４４は容器本体の出し入れを可能にする大きさに開口できる。すなわち、切り込み４４は、図示しないが、防水ファスナー４６で全長開くことにより容器本体の出し入れを可能にする大きさに開口される。
【００２７】
図４（ｃ）、（ｄ）に示すように、運搬時等に、延長折り曲げ部４３を外ケース４２の両側に折り曲げると共に手提げ紐４８を起立したときは、延長折り曲げ部４３を外ケース４２に堅固に押えた状態とすることができる。
【図面の簡単な説明】
【００２８】
【図１】実施例１の運搬容器を示す斜視図である。
【図２】同運搬容器を解体して示す斜視図である。
【図３】実施例２の運搬容器を示す斜視図である。
【図４】実施例３の運搬容器を示す斜視図である。
【符号の説明】
【００２９】
１０  運搬容器
１２  容器本体
１３  開閉蓋
１４  切り込み
１６  防水ファスナー
１８  外ケース
２０  内容物表示部
２２  取っ手
【図１】
0003132755.tif 000003
【図２】
0003132755.tif 000004
【図３】
0003132755.tif 000005
【図４】
0003132755.tif 000006